(57)【要約】【課題】コルゲートチューブを潰すことなく覆うことができるプロテクタを提供すること。【解決手段】一端部１１Ａに至る収容方向の一部が斜めに屈曲しているプロテクタ本体１１と、プロテクタ本体１１の開放面１１ｂを閉じる主カバー１２と、プロテクタ本体１１と主カバー１２とを展開状態に連結する主ヒンジ１３と、プロテクタ本体１１の開放面１１ａを閉じる端部用カバー１４と、主カバー１２と端部用カバー１４とを展開状態に連結する端部用ヒンジ１５と、プロテクタ本体１１の内面に設けられた本体側リブ１１ｄと、端部用カバー１４の内面に設けられたカバー側リブ１４ｂと、が一体に成形され、端部用ヒンジ１５は、主ヒンジ１３を屈曲させて一端部１１Ａを除く開放面１１ｂを主カバー１２で閉じたときには一端部１１Ａに対応する開放面１１ａが端部用カバー１４によって閉じられない退避位置にあるように主カバー１２に対してオフセットしている。【選択図】図２
2014212618.tif 000002
【特許請求の範囲】
【請求項１】
電線群の外側を蛇腹状のコルゲートチューブで覆ったハーネス本体を収容するプロテクタであって、
一面が開放され、かつ一端部に至る収容方向の少なくとも一部が斜めに屈曲しているプロテクタ本体と、
前記プロテクタ本体の前記一端部を除いた開放面を閉じる主カバーと、
前記プロテクタ本体と前記主カバーとを展開状態に連結していて前記プロテクタ本体の前記一端部を除いた前記開放面を前記主カバーで閉じ得るように屈曲する主ヒンジと、
前記プロテクタ本体の前記一端部に対応した開放面を閉じる端部用カバーと、
前記主カバーと前記端部用カバーとを展開状態に連結していて前記プロテクタ本体の前記一端部に対応した前記開放面を閉じ得るように屈曲若しくは変形する端部用ヒンジと、
前記プロテクタ本体の前記一端部に対応した内面に設けられて前記コルゲートチューブに係合可能な本体側リブと、
前記端部用カバーの内面に設けられて前記端部用カバーを前記一端部に対応した前記開放面を閉じたときに前記コルゲートチューブに係合可能なカバー側リブと、
が一体に成形されているとともに、
前記端部用ヒンジは、前記主ヒンジを屈曲させて前記一端部を除く前記開放面を前記主カバーで閉じたときには前記一端部に対応する前記開放面が前記端部用カバーによって閉じられない退避位置にあるように前記主カバーに対してオフセットしていることを特徴とするプロテクタ。
【請求項２】
請求項１に記載のプロテクタと、
電線群の外側を蛇腹状のコルゲートチューブで覆ったハーネス本体と、
を備え、
前記ハーネス本体を前記プロテクタに収容し、前記主カバーと前記端部用カバーとで前記開放面の全体を閉じるとともに、前記本体側リブと前記カバー側リブとを前記コルゲートチューブに係合させて前記コルゲートチューブを前記プロテクタ本体の一端部と前記端部用カバーとで保持したことを特徴とするワイヤーハーネス。
【発明の詳細な説明】
【技術分野】
【０００１】
本発明は、電線群の外側を蛇腹状のコルゲートチューブで覆ったハーネス本体を収容するプロテクタ及びワイヤーハーネスに関する。
【背景技術】
【０００２】
従来、電線群の外側を蛇腹状のコルゲートチューブで覆ったハーネス本体を保護するために、一面を開放した断面略Ｕ字形状のプロテクタ本体と、このプロテクタ本体の開放面を覆うカバー体と、を備えたプロテクタが知られている（例えば、特許文献１，２参照）。
【０００３】
このプロテクタは、コルゲートチューブをプロテクタ本体に収納した状態でプロテクタ本体をカバー体で覆うことでコルゲートチューブを保持している。
【０００４】
すなわち、プロテクタ本体及びカバー体の各端部の内面には、コルゲートチューブの軸線方向に沿うズレを防止するため、蛇腹状の環状凹部と係合するリブを形成している。
【０００５】
一方、ハーネス本体の配索経路は、必ずしも直線状とはならず、プロテクタ本体の端部に至る収容方向の少なくとも一部が斜めに屈曲し、プロテクタ全体が二次元又は三次元の立体形状に構成している場合がある。
【先行技術文献】
【特許文献】
【０００６】
【特許文献１】特開２００５−０６５３９９号公報
【特許文献２】特開２００７−２２８７７６号公報
【発明の概要】
【発明が解決しようとする課題】
【０００７】
しかしながら、このような従来のプロテクタにあっては、例えば、上述した特許文献１のプロテクタでは、プロテクタ本体とカバー体とは、プロテクタ本体の端部付近においてコルゲートチューブの環状凹部方向と直交する軸線を有する薄肉ヒンジを介して一体に形成している。
【０００８】
このため、プロテクタの端部付近が二次元若しくは三次元方向に屈曲していた場合、薄肉ヒンジを設けることができず、プロテクタ本体の中央付近に薄肉ヒンジを配置せざるを得なくなる。
【０００９】
このように、薄肉ヒンジをプロテクタ本体の中央付近に配置すると、薄肉ヒンジとコルゲートチューブを保持する端部とが離れて配置されてしまい、しかも、二次元若しくは三次元方向に端部がズレていることから、コルゲートチューブの環状凹部にカバー体のリブを係合させ難くなり、カバー体のリブがコルゲートチューブの環状凸部を押し潰して環状凹部に係合するという問題があった。
【００１０】
また、図３に示した特許文献２のように、プロテクタ本体１とカバー体２とを別体で構成するとともに、カバー体２の端部に軸３を介して端部用カバー４を別体で回動可能に連結した場合、軸３と端部用カバー４に形成したリブ４ａとを接近させることができる。しかしながら、軸３がコルゲートチューブ５から径方向の外側に離れている。すなわち、軸３の軸線とコルゲートチューブ５の環状凹部５ａの溝底との間は図示の高さ方向で距離Ｗだけ離れている。しかも、軸３の軸線とコルゲートチューブ５の環状凹部５ａとが平行な状態で固定されていることから、端部用カバー４を回動させた際にリブ４ａの先端でコルゲートチューブ５の環状凸部５ｂを押し潰してしまうという問題は依然として残っていた。
【００１１】
本発明は、上述のような課題を解決するためになされたもので、コルゲートチューブを潰すことなく一面を閉じることができるプロテクタ及びワイヤーハーネスを提供することを目的とする。
【課題を解決するための手段】
【００１２】
本発明に係るプロテクタは、上記目的達成のため、電線群の外側を蛇腹状のコルゲートチューブで覆ったハーネス本体を収容するプロテクタであって、一面が開放され、かつ一端部に至る収容方向の少なくとも一部が斜めに屈曲しているプロテクタ本体と、前記プロテクタ本体の前記一端部を除いた開放面を閉じる主カバーと、前記プロテクタ本体と前記主カバーとを展開状態に連結していて前記プロテクタ本体の前記一端部を除いた前記開放面を前記主カバーで閉じ得るように屈曲する主ヒンジと、前記プロテクタ本体の前記一端部に対応した開放面を閉じる端部用カバーと、前記主カバーと前記端部用カバーとを展開状態に連結していて前記プロテクタ本体の前記一端部に対応した前記開放面を閉じ得るように屈曲若しくは変形する端部用ヒンジと、前記プロテクタ本体の前記一端部に対応した内面に設けられて前記コルゲートチューブに係合可能な本体側リブと、前記端部用カバーの内面に設けられて前記端部用カバーを前記一端部に対応した前記開放面を閉じたときに前記コルゲートチューブに係合可能なカバー側リブと、一体に成形されているとともに、前記端部用ヒンジは、前記主ヒンジを屈曲させて前記一端部を除く前記開放面を前記主カバーで閉じたときには前記一端部に対応する前記開放面が前記端部用カバーによって閉じられない退避位置にあるように前記主カバーに対してオフセットした構成である。
【００１３】
この構成により、本発明に係るプロテクタは、端部用ヒンジにより端部用カバーのリブとコルゲートチューブの環状凹部との位置合わせを容易に行うことができ、端部用カバーによってプロテクタ本体の一端に対応した開放面を閉じる際に、コルゲートチューブを潰すことなく閉じることができる。
【００１４】
本発明に係るワイヤーハーネスは、上記プロテクタに加え、電線群の外側を蛇腹状のコルゲートチューブで覆ったハーネス本体と、を備え、前記ハーネス本体を前記プロテクタに収容し、前記主カバーと前記端部用カバーとで前記開放面の全体を閉じるとともに、前記本体側リブと前記カバー側リブとを前記コルゲートチューブに係合させて前記コルゲートチューブを前記プロテクタ本体の一端部と前記端部用カバーとで保持した構成である。
【００１５】
この構成により、本発明に係るワイヤーハーネスによれば、主カバーでプロテクタ本体の一面を閉じた状態では端部用カバーのリブでコルゲートチューブを潰されていないワイヤーハーネスを提供することができる。
【発明の効果】
【００１６】
本発明によれば、コルゲートチューブを潰すことなく覆うことができるプロテクタ及びワイヤーハーネスを提供することができる。
【図面の簡単な説明】
【００１７】
【図１】本発明の一実施の形態に係るプロテクタを示し、（Ａ）は一部を省略したプロテクタの斜視図、（Ｂ）は主カバーと端部用カバーとの関係を示す要部の斜視図、（Ｃ）は主カバーと端部用カバーとの関係を示す要部の側面図である。
【図２】本発明の一実施の形態に係るプロテクタを示し、（Ａ）はプロテクタ本体の端部を端部用カバーで覆った状態の要部の斜視図、（Ｂ）はプロテクタ本体の端部を端部用カバーで覆った状態の要部の断面図、（Ｃ）はプロテクタ本体の端部を端部用カバーで覆った使用状態の要部の断面図である。
【図３】従来のプロテクタを示し、（Ａ）はプロテクタ本体を端部用カバーで覆う前の要部の断面図、（Ｂ）はプロテクタ本体を端部用カバーで覆う直前の要部の断面図である。
【発明を実施するための形態】
【００１８】
次に、本発明に係る一実施の形態について図面を参照して説明する。
【００１９】
まず、プロテクタの構成を説明する。本実施の形態として示すプロテクタ１０は、車両用ハーネス本体等に適用するものである。図１及び図２に示すように、プロテクタ１０は、一面を開放した断面略Ｕ字形状のプロテクタ本体１１と、プロテクタ本体１１の一端部１１Ａを除く中央部１１Ｂの開放面１１ｂを閉じる主カバー１２と、プロテクタ本体１１と主カバー１２とを展開状態に連結する主ヒンジ１３と、プロテクタ本体１１の一端部１１Ａに対応した開放面１１ａを閉じる端部用カバー１４と、主カバー１２と端部用カバー１４とを展開状態に連結していてプロテクタ本体１１の一端部１１Ａに対応した開放面１１ａを閉じ得るように屈曲した端部用ヒンジ１５と、を一体に有する樹脂成形品である。なお、樹脂材料に関しては、車体に設置する位置や環境等に応じて任意である。
【００２０】
プロテクタ本体１１は、車体の設置部位に応じて図示しないハーネス本体を配索する経路に沿って一端部１１Ａに向かう中途部分が屈曲している。このため、主ヒンジ１３は、プロテクタ本体１１の中央寄りに配置している。プロテクタ本体１１には、その側面に複数の雌側の係合部１１ｃが一体に形成されている。プロテクタ本体１１の一端端１１Ａの内壁面には、ハーネス本体を構成する蛇腹状のコルゲートチューブ１６に形成された環状凹部１６ａと係合する本体側リブ１１ｄが形成されている。
【００２１】
主カバー１２は、プロテクタ本体１１の屈曲形状に合わせて屈曲している。主カバー１２には、プロテクタ本体１１の中央部１１Ｂの開放面１１ｂを閉じた時に、その状態を維持するように係合部１１ａと係合するランス状の雄側の係合爪部１２ａが一体に形成されている。
【００２２】
主ヒンジ１３は、プロテクタ本体１１と主カバー１２とを展開状態に連結していてプロテクタ本体１１の一端部１１Ａを除いた中央部１１Ｂの開放面１１ｂを主カバー１２で閉じ得るように屈曲する。
【００２３】
端部用カバー１４には、プロテクタ本体１１の一端部１１Ａの開放面１１ａを閉じた時に、その状態を維持するように係合部１１ａと係合するランス状の雄側の係合爪部１４ａが一体に形成されている。端部用カバー１４の内壁面には、コルゲートチューブ１６に形成された環状凹部１６ａと係合するカバー側リブ１４ｂが形成されている。
【００２４】
端部用ヒンジ１５は、主カバー１２に対して端部用カバー１４の位置を弾性変形によって回動可能としている。具体的には、端部用ヒンジ１５は、主カバー１２と端部用カバー１４との間において、径方向の外側、すなわち、プロテクタ本体１１とは反対側に凸となるように屈曲している。この際、端部用ヒンジ１５は、図１（Ｃ）に示すように、主ヒンジ１３を屈曲させて一端部１１Ａを除く中央部１１Ｂの開放面１１ｂを主カバー１２で閉じたときには一端部１１Ａに対応する開放面１１ａが端部用カバー１４によって閉じられない退避位置にあるように主カバー１２に対してオフセットしている。したがって、端部用ヒンジ１５は、弾性変形が可能であると同時に、上述したオフセット状態を維持することができる程度の保形性を肉厚等の設定により有している。
【００２５】
次に、本実施の形態に係るプロテクタの作用を説明する。
【００２６】
上記の構成において、プロテクタ１０は、図２（Ａ），（Ｂ）に示すように、プロテクタ本体１１の中央部１１Ｂの開放面１１ｂを主カバー１２で閉じることができる。この際、主カバー１２は、主ヒンジ１３を回動支点として回動させ、係合爪部１２ａを係合部１１ｃに係合させるだけでプロテクタ本体１１の中央部１１Ｂの開放面１１ｂを閉じることができる。
【００２７】
また、端部用カバー１４は、主カバー１２とは独立して、端部用ヒンジ１５を回動支点として回動させ、係合爪部１４ａを係合部１１ｃに係合させるだけでプロテクタ本体１１の一端部１１Ａの開放面１１ａを閉じることができる。
【００２８】
ここで、端部用カバー１４は、主カバー１２のみでプロテクタ本体１１を覆った状態の時には、端部用ヒンジ１５のオフセット機能により、プロテクタ本体１１に収納したコルゲートチューブ１６に対しては、非接触若しくは単に当接しているだけの状態とすることができる。
【００２９】
そして、端部用カバー１４は、例えば、作業者の手作業等により、図２（Ｃ）に示すように、カバー側リブ１４ｂがコルゲートチューブ１６の環状凹部１６ａに係合するように位置合わせをしつつ、係合爪部１２ａを係合部１１ｃに係合させることで開放面１１ａを閉じることができる。
【００３０】
これにより、端部用カバー１４は、コルゲートチューブ１６の環状凹部１６ａと平行な軸線の端部用ヒンジ１５を用いたものでありながら、端部用ヒンジ１５の弾性変形による伸縮等を利用することで回動時のズレ等を吸収させることができる。したがって、端部用カバー１４でプロテクタ本体１１の一端部１１Ａを覆うときに、その荷重によってコルゲートチューブ１６の環状凸部１６ｂを潰してしまうことを抑制することができる。
【００３１】
また、端部用カバー１４は、プロテクタ本体１１の一端部１１Ａにのみ設けることが可能であり、しかも、端部用ヒンジ１５の軸線方向をカバー側リブ１４ｂと平行な方向とすることができることにより、プロテクタ１０の端部形状の設計を阻害することもない。
【００３２】
また、端部用ヒンジ１５は、プロテクタ本体１１を端部用カバー１４で覆った時に、その屈曲した部分、すなわち、折り返した頂点部分が主カバー１２の上方に位置するように傾斜させることができる。これにより、端部用ヒンジ１５の屈曲並びに傾斜による荷重を主カバー１２の押さえ部材として利用することができ、主カバー１２の一端部１１Ａ寄りの中央部１１Ｂの浮きを抑制することができる。このため、主カバー１２の一端部１１Ａの近傍に、係合手段を設けることを省略することができる。
【００３３】
以上のように、本実施の形態に係るプロテクタ１０は、弾性変形可能な端部用ヒンジ１５によって端部用カバー１４を主カバー１２に一体に形成した構成であるので、端部用ヒンジ１５の弾性変形による伸縮等により端部用カバー１４の回動軌跡が影響を受けることがない。これにより、端部用カバー１４の回動に余裕を持たせることができ、端部用カバー１４でプロテクタ本体１１の一端部１１Ａの開放面１１ａを閉じる際にコルゲートチューブ１６の環状凸部１６ｂを潰してしまう虞を抑制することができる。
【００３４】
このように、本実施の形態に係るプロテクタ１は、端部用ヒンジ１５の弾性変形により端部用カバー１４のカバー側リブ１４ｂとコルゲートチューブ１６の環状凹部１６ａとの位置合わせを容易に行うことができ、端部用カバー１４によってプロテクタ本体１１の一端部１１Ａの開放面１１ａを閉じる際に、コルゲートチューブ１６の環状凸部１６ｂを潰すことなく閉じることができる。
【００３５】
また、本実施形態のプロテクタ１０は、端部用ヒンジ１５は、コルゲートチューブ１６の環状凹部１６ａと平行な軸線を有する構成とすることにより、プロテクタ本体１１の一端部１１Ａの開放面１１ａを端部用カバー１４で閉じる際に、端部用ヒンジ１５が伸縮することでコルゲートチューブ１６の環状凹部１６ａに端部用カバー１４のカバー側リブ１４ｂを容易に位置合わせすることができ、コルゲートチューブ１６の環状凸部１６ｂを潰すことなくプロテクタ本体１１の一端部１１Ａの開放面１１ａを端部用カバー１４で閉じることができる。
【００３６】
さらに、本実施形態のプロテクタ１０は、端部用ヒンジ１５は、弾性変形させない状態のときに主カバー１２に対して端部用カバー１４がオフセットしていることにより、主カバー１２でプロテクタ本体１１の中央部１１Ｂの開放面１１ｂを閉じた状態では端部用カバー１４のカバー側リブ１４ｂをコルゲートチューブ１６に接触させないようにすることができる。また、端部用カバー１４でプロテクタ本体１１の一端部１１Ａの開放面１１ａを閉じた状態では、端部用ヒンジ１５を主カバー１２の一端部１１Ａ寄りの中央部１１Ｂに傾斜させることができ、端部用ヒンジ１５に主カバー１２の中央部１１Ｂの浮きを抑制する機能を具備させることができる。
【００３７】
以上説明したように、本発明に係るプロテクタは、コルゲートチューブを潰すことなく覆うことができるという効果を有し、コルゲートチューブで被覆したハーネス本体を保護するプロテクタ全般に有用である。
【符号の説明】
【００３８】
１０  プロテクタ
１１  プロテクタ本体
１１Ａ  一端部
１１Ｂ  中央部
１１ａ  開放面
１１ｂ  開放面
１１ｃ  係合部
１１ｄ  本体側リブ
１２  主カバー
１２ａ  係合爪部
１３  主ヒンジ
１４  端部用カバー
１４ａ  係合爪部
１４ｂ  カバー側リブ
１５  端部用ヒンジ
１６  コルゲートチューブ
１６ａ  環状凹部
１６ｂ  環状凸部
【図１】
2014212618.tif 000003
【図２】
2014212618.tif 000004
【図３】
2014212618.tif 000005